(57)【要約】      （修正有）【課題】サラダスピナー等に使用でき、梱包時にコンパクトなボウル・バスケット組立体を提供する。【解決手段】穿孔されたバスケット１０４と、このバスケットを受容するためのボウル１０２を含んでいるボウル・バスケット組立体が開示されている。このバスケットは、複数のリンク部材により相互に接続されている上側本体部、中央本体部および第三の本体部を備えている。これらの本体部は、上側本体部が中央本体部上に着座している展開状態と、中央本体部が上側本体部内にあり、第三の本体部が中央本体部内にある畳み込み状態との間で相互に移動可能となっている。【選択図】図３
2009006115.tif 000002
【特許請求の範囲】
【請求項１】
穿孔されたバスケット（１０４，２０４）と、前記バスケットを受容するためのボウル（１０２，２０２）とを有しているボウル・バスケット組立体（１００，２００）であって、
前記バスケットが、少なくとも１つのリンク部材（１２６，２０５）を通じて相互に接続される少なくとも第一の本体部材（１０４ａ，２０４ａ）および第二の本体部材（１０４ｂ，２０４ｂ）を備えており、これらの本体部材が、前記第一の本体部材が前記第二の本体部材上に着座する第一の状態と、前記第二の本体部材が前記第一の本体部材内に置かれる第二の状態との間で相互に移動可能となるように構成されていることを、特徴とするボウル・バスケット組立体。
【請求項２】
前記第一の本体部材および前記第二の本体部材が、複数のリンク部材を通じて相互に接続されていることを、さらに特徴とする請求項１に記載の組立体。
【請求項３】
前記バスケットが、前記リンク部材を通じて前記第一の本体部材および前記第二の本体部材に接続されている少なくとも１つの第三の本体部材（１０４ｃ，２０４ｃ）を備えていることを、さらに特徴とする請求項１に記載の組立体。
【請求項４】
前記第一の本体部材、前記第二の本体部材および前記第三の本体部材が、複数のリンク部材により相互に接続されていることを、さらに特徴とする請求項３に記載の組立体。
【請求項５】
前記第一の本体部材、前記第二の本体部材および前記第三の本体部材は、前記第一の本体部材が前記第二の本体部材上に着座し、前記第二の本体部材が前記第三の本体部材上に着座する第一の状態と、前記第二の本体部材が前記第一の本体部材内に置かれ、前記第三の本体部材が前記第二の本体部材内に置かれる第二の状態との間で相互に移動可能となるように構成されていることを、さらに特徴とする請求項３に記載の組立体。
【請求項６】
前記第一の本体部材、前記第二の本体部材および前記第三の本体部材が前記第一の状態と前記第二の状態との間を移動する間、前記リンク部材が、前記第一の本体部材、前記第二の本体部材および前記第三の本体部材に対して摺動および回転可能となるように構成されていることを、さらに特徴とする請求項５に記載の組立体。
【請求項７】
前記リンク部材が、互いに平行な第一のスロット（１２８ａ）および第二のスロット（１２８ｂ）を備えており、前記第一のスロットが、相対的な摺動運動および回転運動のために、前記第一の本体部材の少なくとも１つのピン（１３２ａ）と係合し、また、前記第二のスロットが、相対的な摺動運動および回転運動のために、前記第三の本体部材の少なくとも１つのピン（１３２ｂ）と係合するように構成されていることを、さらに特徴とする請求項６に記載の組立体。
【請求項８】
前記第一本体部材、前記第二の本体部材および前記第三の本体部材が前記第一の状態と前記第二の状態との間を移動する間、前記リンク部材が、前記第二の本体部材に対して回転可能となるように構成されていることを、さらに特徴とする請求項５に記載の組立体。
【請求項９】
前記リンク部材が、相対的な回動のために、前記第二の本体部材の少なくとも１本のピン（１３２ｃ）を受容するための穴（１３０）を有していることを、さらに特徴とする請求項８に記載の組立体。
【請求項１０】
前記第一の状態から前記第二の状態までの前記本体部材の移動を阻止する第一の設定と、前記第一の状態から前記第二の状態までの前記本体部材の移動を可能とする第二の設定との間で、移動可能となっているロック手段（２２０ａ，２２０ｂ）を備えていることを、さらに特徴とする請求項１に記載の組立体。
【請求項１１】
前記ロック手段が、前記第一の設定の方向に付勢されるように構成されていることを、さらに特徴とする請求項１０に記載の組立体。
【請求項１２】
前記ロック手段が弾力性を有していることを、さらに特徴とする請求項１０に記載の組立体。
【請求項１３】
前記第一の状態から前記第二の状態までの前記第一の本体部材、前記第二の本体部材および前記第三の本体部材の移動を阻止する第一の設定と、前記第一の状態から前記第二の状態までの前記第一本体部材、前記第二の本体部材および前記第三の本体部材の移動を可能とする第二の設定との間で、移動可能となっているロック手段を備えていることをさらに特徴とする請求項５に記載の組立体。
【請求項１４】
前記ロック手段が、前記第二の本体部材に設けられる少なくとも一対のロック部材（２２０ａ，２２０ｂ）を有していることを、さらに特徴とする請求項１３に記載の組立体。
【請求項１５】
少なくとも２対のロック部材が、前記第二の本体部材に設けられていることを、さらに特徴とする請求項１４に記載の組立体。
【請求項１６】
各ロック部材が、互いに平行な第一のアーム部材および第二アーム部材（２２４ａ，２２４ｂ，２３０ａ，２３０ｂ）を有していることを、さらに特徴とする請求項１４に記載の組立体。
【請求項１７】
前記第一のアーム部材は、前記ロック手段が前記第一の設定にあるとき、前記第一の本体部材の壁部材の下側縁部に当接するようになっている当接部（２２６ａ，２３２ａ）を有していることを、さらに特徴とする請求項１６に記載の組立体。
【請求項１８】
前記第一のアーム部材の前記当接部は、前記ロック手段が前記第二の設定にあるとき、前記第一の本体部材の壁部材の下側縁部との係合から離脱するように構成されていることを、さらに特徴とする請求項１７に記載の組立体。
【請求項１９】
前記第二のアーム部材は、前記ロック手段が前記第一の設定にあるとき、前記第三の本体部材の壁部材の上側縁部に当接するようになっている当接部（２２６ｂ，２３２ｂ）を有していることを、さらに特徴とする請求項１６に記載の組立体。
【請求項２０】
前記ロック手段が前記第二の設定にあるとき、前記第二のアーム部材の前記当接部は、前記第三の本体部材の壁部材の上側縁部との当接から離脱するように構成されていることを、さらに特徴とする請求項１９に記載の組立体。
【請求項２１】
前記ボウルが、相互に着脱可能に係合される少なくとも第一の本体部材（１０２ｂ，２０２ｂ）および第二の本体部材（１０２ｃ，２０２ｃ）を有していることを、さらに特徴とする請求項１に記載の組立体。
【請求項２２】
前記ボウルの前記第一の本体部材が、少なくとも１つの、回転により移動可能な締め金部材（２０６）を備えていることを、さらに特徴とする請求項２１に記載の組立体。
【請求項２３】
前記締め金部材が、前記ボウルの前記第一の本体部材を前記ボウルの前記第二の本体部材に着脱可能に係合させるために、前記ボウルの前記第二の本体部材に着脱可能に係合するように構成されていることを、さらに特徴とする請求項２２に記載の組立体。
【請求項２４】
前記ボウルが、相互に係合される少なくとも第一の本体部材（１０２ａ，２０２ａ）、第二の本体部材（１０２ｂ，２０２ｂ）および第三の本体部材（１０２ｃ，２０２ｃ）を有していることを、さらに特徴とする請求項２１に記載の組立体。
【請求項２５】
前記ボウルの前記第一の本体部材が、少なくとも１つの、回転により移動可能な締め金部材を有しており、該締め金部材が、前記ボウルの前記第一の本体部材を前記ボウルの前記第二の本体部材および前記第三の本体部材に着脱可能に係合させるために、前記ボウルの前記第二の本体部材および前記第三の本体部材に係合されるように構成されていることを、さらに特徴とする請求項２４に記載の組立体。
【請求項２６】
係合部材が、前記ボウルの前記第一の本体部材の壁部材に着脱可能に係合するために、前記締め金部材の自由端に、または該自由端に隣接して設けられることを、さらに特徴とする請求項２１に記載の組立体。
【請求項２７】
穿孔されたバスケット（１０４，２０４）を形成するために少なくとも１つのリンク部材（１２６，２０５）を通じて相互に接続されている少なくとも第一の本体部材（１０４ａ，２０４ａ）および第二の本体部材（１０４ｂ，２０４ｂ）と、前記バスケットを受容するためのボウル（１０２，２０２）とを有しているボウル・バスケット組立体キットであって、
これらの本体部材は、前記第一の本体部材が前記第二の本体部材上に着座する第一の状態と前記第二の本体部材が前記第一の本体部材内に置かれる第二の状態との間で相互に移動可能となるように構成されていることを、特徴とするボウル・バスケット組立体キット。
【請求項２８】
請求項１に記載のボウル・バスケット組立体を備えてなるサラダスピナー。
【請求項２９】
前記バスケットの開放端および前記ボウルの開放端を着脱可能に覆うためのカバー部材を備えていることを、さらに特徴とする請求項２８に記載のサラダスピナー。
【請求項３０】
前記カバー部材が、前記バスケットを実質的に共通の長手方向の軸を中心として前記ボウルに対して回転運動させるように構成された駆動機構を有していることをさらに特徴とする請求項２９に記載のサラダスピナー。
【請求項３１】
前記駆動機構が、前記ボウルに対して同時に回転運動させるために、前記バスケットのうちの少なくとも１つの穿孔を着脱可能に係合するための手段を有していることを、さらに特徴とする請求項３０に記載のサラダスピナー。
【請求項３２】
前記着脱可能に係合する手段が、展開された位置と折り重ねられた位置との間を回転により移動可能な少なくとも１つの羽根部材に設けられていることを、さらに特徴とする請求項３１に記載のサラダスピナー。
【請求項３３】
請求項２７に記載のボウル・バスケット組立体キットを備えてなるサラダスピナーキット。
【請求項３４】
前記バスケットの開放端および前記ボウルの開放端を着脱可能に覆うためのカバー部材を備えていることを、さらに特徴とする請求項３３に記載のサラダスピナーキット。
【請求項３５】
前記カバー部材が、前記バスケットを実質的に共通の長手方向の軸を中心として前記ボウルに対して回転運動させるように構成された駆動機構を有していることを、さらに特徴とする請求項３４に記載のサラダスピナーキット。
【発明の詳細な説明】
【技術分野】
【０００１】
本発明は、ボウル・バスケット組立体、とくにサラダスピナーに用いるのに適したボウル・バスケット、およびこのようなボウル・バスケットを組み入れるためのサラダスピナーに関するものである。
【背景技術】
【０００２】
図１Ａに例示されているように、符号１０により包括的に示されている従来のボウル・バスケット組立体は、外側ボウル１２と、食料、たとえば野菜を保持するための穿孔されたバスケット１４とを備えている。バスケット１４は、排水を目的として外側ボウル１２内に受容可能となっている。また、この組立体１０は、サラダスピナーの一部を形成してもよい。このサラダスピナーでは、バスケット１４は、共通の長手方向の軸Ｌ−Ｌを中心として、外側ボウル１２に対して回転可能となっている。この回転運動中、バスケット１４により保持された食料は、それに付着している水が振り落とされ外側ボウル１２により収集されるに従って乾燥されるようになっている。ボウル１２およびバスケット１４を覆うために、カバーが設けられてもよい。他の従来のサラダスピナーのなかには、バスケット１４により保持されている食料を乾かすために、バスケット１４をボウル１２に対して回転させるべく運転するメカニズムが提供されているものもある。
【発明の開示】
【発明が解決しようとする課題】
【０００３】
図１Ｂから分かるように、たとえばボウル・バスケット組立体１０を輸送目的のために梱包する場合、このボウル・バスケット組立体１０は、外側ボウル１２の高さ以上の高さＹの空間を占めることになる。これに加え、このように梱包される組立体１０は、不必要なすき間１６を有している。
【０００４】
従って、本発明の目的は、梱包されたとき、よりコンパクトなボウル・バスケット組立体、ボウル・バスケット組立体キット、サラダスピナーおよびサラダスピナーキットを提供すること、または、少なくとも公衆に有用な代替体を提供することにある。
【課題を解決するための手段】
【０００５】
本発明の第一の態様によれば、穿孔されたバスケットとこのバスケットを受容するためのボウルを有しているボウル・バスケット組立体であって、前記バスケットが、少なくとも１つのリンク部材を通じて、少なくとも第一の本体部材および第二の本体部材を備えており、これらの本体部材は、第一の本体部材が第二の本体部材上に着座する第一の状態と、第二の本体部材が第一の本体部材内にある第二の状態との間で相互に移動可能となるように構成されていることを特徴とするボウル・バスケット組立体が提供されている。
【０００６】
本発明の第二の態様によれば、穿孔されたバスケットを形成するために少なくとも１つのリンク部材を通じて相互に接続されている少なくとも第一の本体部材および第二の本体部材と、バスケットを受容するためのボウルとを有しているボウル・バスケット組立体キットであって、これらの本体部材が、第一の本体部材が第二の本体部材上に着座する第一の状態と第二の本体部材が第一の本体部材内にある第二の状態との間で相互に移動可能となるように構成されていることを特徴とするボウル・バスケット組立体キットが提供されている。
【０００７】
本発明の第三の態様によれば、穿孔されたバスケットと、このバスケットを受容するためのボウルとを有しているボウル・バスケット組立体を備えているサラダスピナーであって、前記バスケットが、少なくとも１つのリンク部材を通じて相互に接続される少なくとも第一の本体部材および第二の本体部材を備えており、これらの本体部材が、第一の本体部材が第二の本体部材上に着座する第一の状態と第二の本体部材が第一の本体部材内にある第二の状態との間で相互に移動可能となるように構成されていることを特徴とするサラダスピナーが提供されている。
【０００８】
本発明の第四の態様によれば、穿孔されたバスケットを形成するために少なくとも１つのリンク部材を通じて相互に接続される少なくとも第一の本体部材および第二の本体部材と、このバスケットを受容するためのボウルとを有しているボウル・バスケット組立体キットを備えているサラダスピナーキットであって、これらの本体部材は、第一の本体部材が第二の本体部材上に着座する第一の状態と第二の本体部材が第一の本体部材内にある第二の状態との間で相互に移動可能となるように構成されていることを特徴とするサラダスピナーキットが提供されている。
【発明を実施するための最良の形態】
【０００９】
ここで、例示のみを目的として、本発明の実施形態を添付の図面を参照して記載する。
【００１０】
図２Ａには、符号１００により全体図が示されている本発明の第一の実施形態に係るボウル・バスケット組立体が例示されており、図２Ｂには、符号２００により全体図が示されている本発明の他の実施形態に係るボウル・バスケット組立体が例示されている。
【００１１】
図３に示されているように、バスケット・ボウル組立体１００は、穿孔された内側バスケット１０４を受容するための外側ボウル１０２を備えている。このボウル１０２は、おおむね直立した壁１０６と、底部１０８とを備えており（図８参照）、この底部から、突出部１１０が上方に向かって延びている（図７参照）。バスケット１０４の底部は、バスケット１０４を共通の長手方向の軸Ｍ−Ｍを中心としてボウル１０２に対して回転させうるように、突出部１１０上に着座するようになっている。サラダスピナーを形成するため、ボウル１０２の上方開放端およびバスケット１０４の上方開放端を覆うカバー（図４中、点線で図示）が設けられうる。
【００１２】
図４を参照すると、ボウル１０２が、上側本体部１０２ａ、中央本体部１０２ｂおよび下側本体部１０２ｃを備えていることが分かる。上側本体部１０２ａは、環状の直立壁１１４を備えており、この直立壁の下端部の外面に沿って、４つの長方形状の突出部１１６が設けられている（そのうちの２つが図４に示されている）。中央本体部１０２ｂに関していえば、この中央本体部１０２ｂの上縁部の内面に沿って、４つのおおむねＬ字形の凹部１１８がそれぞれ突出部１１６のうちの１つを受容すべく設けられている。中央本体部１０２ｂの下端部の外面に沿って、４つの長方形状の突出部１２０が設けられている（そのうちの２つだけが図４に示されている）。下側本体部１０２ｃについては、この下側本体部１０２ｃの上縁部の内面に沿って、おおむねＬ字形の凹部１２２がそれぞれ突出部１２０のうちの１つを受容すべく設けられている。
【００１３】
図５および図６に示されているように、ボウル１０２を組み立てるために、まず中央本体部１０２ｂが下側本体部１０２ｃ上に着脱可能に係合され、次いで上側本体部１０２ａが中央本体部１０２ｂ上に着脱可能に係合されるようになっている。図７〜図９においてさらに詳細に示されているように、上側本体部１０２ａは、中央本体部１０２ｂと今まさに係合しようとするところが示されており、また、中央本体部１０２ｂは、下側本体部で１０２ｃと今まさに係合しようとするところが示されている。図８および図９を対比することで、上側本体部１０２ａの突出部１１６を中央本体部１０２ｂの凹部１１８に着脱可能に係合させるために、まず突出部１１６が下方（図８の矢印Ｐの方向）に向かって凹部１１８の中へ挿入され、次いで上側本体部１０２ａが中央本体部１０２ｂに対して（図９に示されている矢印Ｓの方向に）回転されて突出部１１６を凹部１１８の細長い部分に押し込むことにより、図９に示されているような着脱可能な係合が形成されているようになっていることが分かる。
【００１４】
上側本体部１０２ａには、相互に係合したとときに上側本体部１０２ａと中央本体部１０２ｂとの間に防水シールを形成させるためのシリコーンゴムからなるＯ−リング１２４ａが設けられている。同様に、中央本体部１０２ｂにも、相互に係合したときに中央本体部１０２ｂと下側本体部との間に防水シール１２０ｃを形成するためのシリコーンゴムからなるＯ−リング１２４ｂが設けられている。
【００１５】
図１０〜図１２には、ボウル・バスケット組立体１００のバスケット１０４がとりうるさまざまな状態が示されている。具体的にいえば、図１０には、完全に畳み込まれた状態が示されている。図１１には、部分的に展開された状態が示されている。また、図１２には、完全に展開された状態が示されている。図１２に示されているような完全に展開された状態では、上側本体部１０４ａが中央本体部１０４ｂ上に着座し、中央本体部１０４ｂが下側本体部１０４ｃ上に着座しているようになっている。図１０に示されているような完全に畳み込まれた状態では、３つの本体部１０４ａ、１０４ｂ、１０４ｃが同一平面上に配置されるとともに、互いにおおむね同軸状に並べられている。具体的にいえば、中央本体部１０４ｂが上側本体部１０４ａ内にあり、また、下側本体部１０４ｃが最も内側の位置、すなわち中央本体部１０４ｂ内に設けられている。
【００１６】
本体部１０４ａ，１０４ｂ，１０４ｃは、常に４つのリンク部材１２６により相互に接続されている。図１３〜図１６に示されているように、（図１６に示されているような）完全に展開された状態と（図１３に示されているような）完全に畳み込まれた状態との間で本体部１０４ａ，１０４ｂ，１０４ｃが移動する間、リンク部材１２６は、上側本体部１０４ａおよび下側本体部１０４ｃに対して摺動および回転するようになっている。リンク部材１２６は、中央本体部１０４ｂに対してのみ回転するようになっている。
【００１７】
図１７および図１８からより明確に分かるように、リンク部材１２６の各々は、２つの並列に設けられたスロット１２８ａ，１２８ｂと、貫通穴１３０とを備えている。スロット１２８ａは、上側本体部１０４ａに設けられている、相対的な摺動運動および回転運動のためのピン１３２ａを受容するようになっている。スロット１２８ｂは、下側本体部１０４ｃに設けられている、相対的な摺動運動および回転運動のためのピン１３２ｂを受容するようになっている。また、貫通穴１３０は、相対的な回動運動のためのピン１３２ｃを受容するようになっている。このような構成により、本体部１０４ａ，１０４ｂ，１０４ｃは、完全に畳み込まれた状態と完全に展開された状態との間を移動するように操作することが可能となっている。これらのリンク部材１２６は、上側本体部１０４ａおよび下側本体部１０４ｃに摩擦係合することにより、図１６に示されているような位置に維持されるようになっている。従って、バスケット１０４は、図１２に示されているような完全に展開された状態のまま留まることが可能となっている。リンク部材１２６は、図１０に示されているような完全に畳み込まれた状態に本体部１０４ａ，１０４ｂ，１０４ｃを移動させるべく、図１６に示されているような位置から手動によって変位されてもよい。
【００１８】
図１９は、サラダスピナーの一部を構成している図３に例示されたカバーおよび駆動機構組立体１１２を分解した状態を示す底面斜視図である。図１９に示されているように、組立体１１２は、ボウル１０２を着脱可能に係合するとともに覆うためのカバー１３６を備えている。カバー１３６は、頂部１３８の穴１４４と係合するための出力スピンドル１４２を具備したトランスミッション機構を収容するためのハウジング１４０を備えている。長手方向の軸を中心に出力スピンドル１４２が回転すると同時に、頂部１３８は、同一の軸を中心とする回転運動を開始する。さらに図３を参照すると、手動で操作可能なレバー１４６が組立体１１２の上面に設けられている。このレバーは、出力スピンドル１４２をその長手方向の軸を中心として一方方向に回転させることにより頂部１３８に同様の回転運動を起こさせるよう前後方向に回転しうるようになっている。
【００１９】
頂部１３８は、３つのヒンジにより係合されたウイング１４８を備えている。この羽根は、図１９に示されているような展開された位置と図２０に示されているような折り重ねられた位置との間をそれぞれの軸（頂部１３８の長手方向の軸に対してすべて垂直となっている）を中心として回転されうる。
【００２０】
図１９に示されているような展開された位置にあるときに、組立体１１２は、ボウル・バスケット組立体１００上に配置され、ボウル１０２に対して軸Ｍ−Ｍを中心とした回転運動をバスケット１０４に与えるよう駆動されてもよい。具体的にいえば、各ウイング１４８は、組立体１１２がボウル・バスケット組立体１００上に置かれたときにバスケット１０４内の対応する穿孔と係合することによってバスケット１０４を同時に回転運動させるためのつま先部１５０を備えている。
【００２１】
図２１に示されているように、ボウル・バスケット組立体１００を含むサラダスピナーを形成する構成部材が、キットを形成しうるし、図２２および図２３に示されているように、さらに、Ｘの高さで梱包されうるということが明らかである。図２４から明確に分かるように、ボウル・バスケット組立体１００の容積が、組み立てられときには、図１Ａおよび図１Ｂ示されているような従来のボウル・バスケット組立体の容積を下回るものではないが、従来のボウル・バスケット組立体１０およびカバー２０を含むサラダスピナーは、梱包されたときにはＹ＋Ｚの高さを有しているものの、本発明の第一の実施形態に係るボウル・バスケット組立体１００を含むとともにカバーおよび駆動機構組立体１１２を含んでいるサラダスピナーは、梱包されたときには、Ｙ＋Ｚよりも著しく小さいＸの高さを有している
図２５には、図２Ｂのボウル・バスケット組立体２００のボウル２０２が示されている。図２６から分かるように、ボウル２０２は、上側本体部２０２ａ、中央本体部２０２ｂおよび下側本体部２０２ｃから成っている。上側本体部２０２ａは、３つの締め金部材２０６を備えており、そのうちの２つだけが図２５および図２６に示されている。締め金部材２０６は、上側本体部２０２ａから、中央本体部２０２ｂおよび下側本体部２０２ｃを横切って延びている。
【００２２】
図２７〜図２９に示されているように、各締め金部材２０６は耳部２０８を有しており、この耳部は内側アーム２１０と回転可能に係合しており、この内側アームは外側アーム２１２と回転可能に係合するようになっている。耳部２０８は、上側本体部２０２ａとボルト２１４により係合し、軸Ｔ−Ｔを中心として上側本体部２０２ａに対して回転運動するようになっている。図３０および図３１に示されているように、締め金部材２０６は、本体部２０２ａ，２０２ｂ，２０２ｃを横切って延び、本体部２０２ｂ，２０２ｃと係合し、ボウル２０２を組み立てるようになっていてもよい。本体部２０２ａ，２０２ｂ，２０２ｃが相互に離脱されたとき締め金部材２０６がブラブラするのを防止するために、図２６に示されているように、締め金部材２０６が固定される上側本体部２０２ａの外壁上には、外側アーム２１２の係合部と着脱可能に係合するためのスタッドを各々備えた３つの凹部２１８（そのうちの１つだけが図２５および図２７に示されている）が備えられている。
【００２３】
図３２には、ボウル・バスケット組立体２００の穿孔されたバスケット２０４が完全に展開された状態が示されている。バスケット２０４は３つの本体部、すなわち上側本体部２０４ａ、中央本体部２０４ｂ、および下側本体部２０４ｃを備えている。完全に展開された状態では、上側本体部２０４ａは中央本体部２０４ｂ上に着座し、中央本体部２０４ｂは下側本体部に２０４ｃ上に着座するようになっている。図３３には、中央本体部２０４ｂが示されている。
【００２４】
図３２および図３６に示されているように、バスケット２０４の構造は、基本的に先に議論されたボウル・バスケット組立体１００のバスケット１０４の構造と同じである。  また、本体部２０４ａ，２０４ｂ，２０４ｃは、常に複数のリンク部材２０５によって互いに接続されている。主な違いは、複数のロック２２０ａ，２２０ｂがバスケット２０４の中央本体部２０４ｂに設けられているところにある。
【００２５】
ロック２２０ａ，２２０ｂは、以下に説明されているように、ロック機能およびアンロック機能を実行するためにロック２２０ａ，２２０ｂの変形を可能とする弾性材料、たとえばプラスチックから成っている。ロック２２０ａは、手操作可能部分２２２を備えており、この部分から一対の湾曲した平行なアーム２２４ａ，２２４が延出している。各アーム２２４ａ，２２４ｂの自由端部には、突出部２２６ａ，２２６ｂが設けられており、これらの突出部２２６ａ，２２６ｂは、互いに逆方向に向かって延びている。同様に、ロック２２０ｂは、手操作可能部分２２８を備えており、この部分から一対の湾曲した平行なアーム２３０ａ，２３０ｂが延出している。各アーム２３０ａ，２３０ｂの自由端部には、突出部２３２ａ，２３２ｂが設けられており、これらの突出部２３２ａ，２３２ｂは、互いに逆方向に向かって延びている。
【００２６】
ここで、図３７〜図４０を参照すると、完全に展開された状態では、ロック２２０ａのアーム２２４ａの突出部２２６ａは上側本体部２０４ａの下側縁部に当接し、アーム２２４ｂの突出部２２６ｂは下側本体部２０４ｃの上側端部に当接するようになっていることが分かる。ロック２２０ｂは、上側本体部２０４ａ、中央本体部２０４ｂ、および下側本体部２０４ｃに対して、先に記載した場合と同様な位置決めが為されている。
【００２７】
ロック２２０ａの手操作可能部分２２８は、中央本体部２０４ｂの固定リブ２５０に対して（寄せて）ロック２２０ａを変形するために、図３６および図３８に示されているような安定位置から図３８の矢印Ｇにより示されている方向に向かって移動されうる。従って、弾性的に変形されたとき、突出部２２６ａは、図３９に示されているように、上側本体部２０４ａの下側縁部との当接状態から離脱して上側本体部２０４ａの凹部２５２の下方の位置に至るまで移動され、そこで、上側本体部２０４ａは中央本体部２０４ｂに対して下方に移動しうる。手操作可能部分２２８が同じように弾性的に変形されると、突出部２２６ｂも、下側本体部２０４ｃの上側縁部との当接から離脱し、これにより中央本体部２０４ｂが下側本体部２０４ｃに対しての下方に移動することが可能となる。手操作可能部分２２８上の力が開放されると、ロック２２０ａは、それ自体の弾性力により、変形かつ収縮した構造から安定しかつ膨張した構造に戻ることになる。
【００２８】
ロック２２０ａ，２２０ｂが完全に膨張した位置で装着されている場合、バスケット２０４を、展開した状態から部分的にまたは完全に畳み込まれた状態へ転換することは可能ではないことが明らかである。バスケット２０４を畳み込むために、ユーザは、図４１に示されているように、ロック２２０ａ，２２０ｂの手操作可能部分２２８を操作してもよく、これにより、バスケット２０４を、図４２に示されているような畳み込まれた状態に転換することが可能となる。
【００２９】
いうまでもなく、ボウル１０２およびバスケット２０４がボウル・バスケット組立体を形成してもよいし、また、このボウル・バスケット組立体が、サラダスピナーの一部を形成してもよい。
【００３０】
同様に、ボウル２０２およびバスケット１０４がボウル・バスケット組立体を形成してもよいし、また、ボウル・バスケット組立体がサラダスピナーの一部を形成してもよい。ボウル・バスケット組立体１００，２００の部品が容易に組み立てられ取り外されるので、これらが、キットの形態で提供または販売され、ユーザ自身による組立体１００，２００の組み立てまたは分解を可能としてもよいことが分かる。
【００３１】
いうまでもなく、上記が本発明を実行しうる例を示しているだけであり、さまざまな変更および／または変形が発明の精神から逸脱することなく加えられてもよい。
【００３２】
また、いうまでもなく、本発明の特徴が明瞭さのために別々の実施形態で記載されているが、これらの特徴が、単一の実施形態において組み合わされて用いられてもよい。
【００３３】
これとは異なり、簡潔さのために単一の実施形態に記載されている本発明のさまざまな特徴が、別々に提供されてもよいし、または任意の適切なより小さな組み合わせで提供されてもよい。
【図面の簡単な説明】
【００３４】
【図１】（Ａ）従来のボウル・バスケット組立体の分解図である。（Ｂ）図１Ａの従来の組立体が梱包される方法を示す図である。
【図２】（Ａ）本発明の第一の実施形態に係るボウル・バスケット組立体を示す斜視図である。（Ｂ）本発明の第二の実施形態に係るボウル・バスケット組立体を示す斜視図である。
【図３】図２Ａに示されている組立体を組み込むサラダスピナーを示す分解図である。
【図４】図２Ａに示されている組立体の外側のボウルを示す分解図である。
【図５】図４に示されている外側ボウルを組み立てるステップを示す図である。
【図６】図４に示されている外側ボウルを組み立てるステップを示す図である。
【図７】図４に示されている外側ボウルの本体部間の係合方法を示す部分斜視図である。
【図８】図７の中の「Ａ」とマークされた○印の付された部分の拡大図である。
【図９】図７の中の「Ｂ」とマークされた○印の付された部分の拡大図である。
【図１０】図２Ａに示されている組立体のバスケットの完全に畳み込まれた状態を示す斜視図である。
【図１１】図１０に示されているバスケットの部分的に展開された状態を示す斜視図である。
【図１２】図１０に示されているバスケットの完全に展開された状態を示す斜視図である。
【図１３】図１２のバスケットを完全に畳み込まれた状態から完全に展開された状態に変換するステップを示す断面図である。
【図１４】図１２のバスケットを完全に畳み込まれた状態から完全に展開された状態に変換するステップを示す断面図である。
【図１５】図１２のバスケットを完全に畳み込まれた状態から完全に展開された状態に変換するステップを示す断面図である。
【図１６】図１２のバスケットを完全に畳み込まれた状態から完全に展開された状態に変換するステップを示す断面図である。
【図１７】図１２のバスケットの本体部を接続するリンク部材を示す部分拡大図である。
【図１８】図１２のバスケットの中央本体部を示す斜視図である。
【図１９】図３に示されているサラダスピナーのカバーおよび駆動機構組立体を示す分解図である。
【図２０】図１９に示されているサラダスピナーのカバーおよび駆動機構組立体を示す組立図である。
【図２１】梱包のために整えられた図３に示されているサラダスピナーを形成する部材を示す分解図である。
【図２２】梱包されたときの図２１のサラダスピナーの部材を示す断面図である。
【図２３】図２２の梱包されたときのサラダスピナーを示す斜視図である。
【図２４】梱包された従来のサラダスピナーと梱包された図２１に示されるサラダスピナーとにより占められているそれぞれの空間を比較する図である。
【図２５】図２Ｂに示されている組立体の外側のボウルを示す斜視図である。
【図２６】図２５に示されている外側ボウルの本体部を示す分解図である。
【図２７】図２５に示されている外側ボウルの締め金部材を示す拡大図である。
【図２８】図２５に示されている外側ボウルを示す分解断面図である。
【図２９】図２８の「Ｃ」とマークされた○印の付された部分を示す拡大図である。
【図３０】図２５に示されている外側ボウルの組立体を示す断面図である。
【図３１】図２５に示されている外側ボウルの組立体を示す断面図である。
【図３２】図２Ａおよび図２Ｂに示されているボウル・バスケット組立体に用いられうる他のバスケットを示す斜視図である。
【図３３】図３２に示されているバスケットの中央本体部を示す斜視図である。
【図３４】図３２に示されているバスケットのロックを示す斜視図である。
【図３５】図３２に示されているバスケットの他のロックを示す斜視図である。
【図３６】図３２に示されているバスケットを示す部分図である。
【図３７】例示の目的のために、中央本体部を取り除いてロックだけを残した状態の、図３２に示されているバスケットを示す側面図である。
【図３８】図３７で「Ｄ」とマークされた○印の付された、ロックを含む部分を示す拡大図である。
【図３９】図３２に示されているバスケットのアンロックおよび畳み込みを可能とするロックの移動を示している図３８に対応する図である。
【図４０】図３２に示されているバスケットのアンロックおよび畳み込みを可能とするロックの移動を示している図３８に対応する図である。
【図４１】図３２に示されているバスケットの畳み込みを可能とするためのロックの手動操作を示す図である。
【図４２】図４１に示されているバスケットが畳み込まれた構造を示す図である。
【図１】
2009006115.tif 000003
【図２】
2009006115.tif 000004
【図３】
2009006115.tif 000005
【図４】
2009006115.tif 000006
【図５】
2009006115.tif 000007
【図６】
2009006115.tif 000008
【図７】
2009006115.tif 000009
【図８】
2009006115.tif 000010
【図９】
2009006115.tif 000011
【図１０】
2009006115.tif 000012
【図１１】
2009006115.tif 000013
【図１２】
2009006115.tif 000014
【図１３】
2009006115.tif 000015
【図１４】
2009006115.tif 000016
【図１５】
2009006115.tif 000017
【図１６】
2009006115.tif 000018
【図１７】
2009006115.tif 000019
【図１８】
2009006115.tif 000020
【図１９】
2009006115.tif 000021
【図２０】
2009006115.tif 000022
【図２１】
2009006115.tif 000023
【図２２】
2009006115.tif 000024
【図２３】
2009006115.tif 000025
【図２４】
2009006115.tif 000026
【図２５】
2009006115.tif 000027
【図２６】
2009006115.tif 000028
【図２７】
2009006115.tif 000029
【図２８】
2009006115.tif 000030
【図２９】
2009006115.tif 000031
【図３０】
2009006115.tif 000032
【図３１】
2009006115.tif 000033
【図３２】
2009006115.tif 000034
【図３３】
2009006115.tif 000035
【図３４】
2009006115.tif 000036
【図３５】
2009006115.tif 000037
【図３６】
2009006115.tif 000038
【図３７】
2009006115.tif 000039
【図３８】
2009006115.tif 000040
【図３９】
2009006115.tif 000041
【図４０】
2009006115.tif 000042
【図４１】
2009006115.tif 000043
【図４２】
2009006115.tif 000044